【事件の表示】
　平成２年特許願第７０５０７号「電子楽器」拒絶査定に対する審判事件〔平成３年１２月２日出願公開、特開平３−２６９５８３、平成７年１２月　６日出願公告、特公平７−１１３８３１、請求項の数（１）〕について、次のとおり審決する。
【結　論】
　原査定を取り消す。
　本願の発明は、特許すべきものとする。
【理　由】
第１　本願発明
　本願は、平成２年３月２０日の出願であって、その発明（以下「本願発明」という。）は、補正された特許請求の範囲（請求項の数１）に記載された次に掲げるものである。
「複数のチャンネルについて、チャンネル情報により特定される各チャンネルに割当てられている音色を特定する音色情報を記憶する音色情報記憶手段であって、異なるチャンネルで同一の音色を割当てることを可能とするものと、
　楽音に音楽的効果を付与するための複数の時変動する効果情報である異積的効果情報を記憶するための複数の記録領域を有し、該複数の記憶領域に記憶される累積的効果情報が所定周期ごとに更新されるランダムアクセス記憶手段と、
　各チャンネルの楽音形成時には、前記チャンネル情報に応じて上記音色情報記憶手段から各チャンネルに対応する音色情報を読出し、上記ランダムアクセス記憶手段の複数の記憶領域のうち、前記読出された音色情報に基づく所定のアドレス位置の記憶領域に記憶された累積的効果情報を読出し出力する出力手段と、
　該累積的効果情報に基づいて各チャンネルで発音する楽音に音楽的効果を付与する効果付与手段と
　を具備し、異なるチャンネルに同一の音色が割当てられているとき、それらのチャンネルで同一の前記累積的効果情報を用いて音楽的効果を付与することにより、それらのチャンネルで発音する楽音の効果の位相を一致させることを特徴とする電子楽器」
　
第２　刊行物発明
　本願出願公告に対して異議申立がなされ、その後の拒絶の理由で引用された刊行物（刊行物の数４）は、次に掲げるとおりである。
　刊行物１：特公昭６２−１９７５９号
　刊行物２：特開昭６４−５６４８７号公報（異議申立での甲第１号証と同じ）
　刊行物３：特開平１−１７９９９６号公報
　刊行物４：特開昭５９−１３９０９４号公報
　
　１　刊行物１の発明
　　「複数の楽音発生系列を有し、各系列毎に独立してビブラート信号発生器を有する電子楽器において、少なくとも１つのビブラート信号発生器の動作時に他のビブラート信号発生器の動作を開始させる場合は、前記動作中のビブラート信号発生器から発生されるビブラート信号の位相を前記他のビブラート信号発生器から発生されるビブラート信号の位相に強制的に同期させる同期手段を具えた電子楽器（１頁１欄２行ないし１０行）
　従来、複数の楽音発生系列を有し、各系列毎に発生する楽音に独立してビブラート効果を付与するようにした電子楽器がある。この電子楽器は、各系列毎にビブラート信号発生器が設けられており、該ビブラート信号発生器から発生される適宜の繰返し周波数（ビブラート周波数）をもつビブラート信号により各系列においてそれぞれの楽音を周波数変調するようにしている。
　しかし、従来の電子楽器においては、各ビブラート信号発生器から発生されるビブラート信号の位相が全く等しくなければ問題はないが、位相がずれていると、各系列から発生される楽音は相互に干渉しあってうなりが生じ不快な音となってしまうという欠点があった。（１頁１欄２４行ないし同頁２欄１１行）
　以上説明したようにこの発明によれば、複数の楽音発生系列から発生される楽音に独立してビブラート効果を付与する場合においても、ビブラート効果を付与するためのビブラート信号の位相が同期しているため、うなりの発生を防止することができる。（８頁１５欄１４行ないし１９行）」
　
　２　刊行物２の発明
　　「複数の発音チャンネルと、この複数の発音チャンネルに等しい数の低周波信号を発生する低周波信号出力手段とを有し、放音される楽音に低周波変調を付加できる変調機能付電子楽器において、
　発音チャンネルごとに上記周波信号を割当て、押鍵操作により指定された発音チャンネルに対応する低周波数信号を制御するマルチ発音モード制御手段と、
　１つの押鍵操作に基づいて複数の発音チャンネルを割当てるとともに、この複数の発音チャンネルごとに１つの低周波信号を対応させて、この複数の発音チャンネルに対応する楽音の周波数を同期をとって変調制御する同期発音モード制御手段と、
　上記マルチ発音モード制御手段か又は上記同期発音モード制御手段のいづれかを選択指定する選択手段と
　を具備してなることを特徴とする変調機能付電子楽器（１頁左下欄７行ないし同頁右下欄６行）
　一般に、電子楽器でのビブラートなどの低周波変調効果の付加に際したＬＦＯ（低周波発信器）の動作は、複数の発音チャンネルでのＬＦＯ制御が個々の押鍵タイミングにすなおに追従できる反面、特に、トーンミックスのようにその指定されたいくつかの発音チャンネルが完全に同期して制御されることが望ましい。
　従来のこの種の電子楽器におけるＬＦＯ制御には、通常、次の２つの方式が採用されている。すなわち、１つは、唯１つのＬＦＯですべての発音チャンネルを一括して制御するシングルＬＦＯ制御方式であり、他の１つは、各発音チャンネルにＬＦＯを１つずつ割当て、押鍵操作に応答して割当てられる発音チャンネルごとにそのチャンネルでのＬＦＯを制御するマルチＬＦＯ制御方式である。
　上記シングルＬＦＯ制御方式は、古くから一般に行われている方式であり、使用しているＬＦＯは１つしかないため、複数のキーの押鍵タイミングを意識的にずらせた場合でも位相修正されて、すべての発音チャンネルのＬＦＯ制御が同期されてしまい、演奏者の意図を反映させることができない上に、楽音としては単調で面白味に欠けるという欠点があった。
　これに対し、マルチＬＦＯ制御方式は、前にも述べたように、各発音チャンネルに対して専用のＬＦＯが与えられているため、各発音チャンネルのＬＦＯは、キー操作のタイミングに基づいて、つまり、複数のキーがばらばらに押されればその通りばらばらに、ほぼ同時に押されればほぼ同時にと、ごく自然な状態で制御されるので、楽音的には申し分ないものである。（１頁右下欄末行ないし２頁右上欄１１行）
　ビブラートなどの低周波変調に関して演奏者の意図を反映した如く自然な楽音が得られる（４頁右上欄１０行ないし１２行）」
　
　３　刊行物３の発明
　　「楽音発生装置にて楽音形成のために利用される楽音制御用パラメータを該楽音発生装置に供給する楽音制御用パラメータ発生装置において、
　音色選択操作子と、
　前記音色選択操作子により選択された音色に対応した音色パラメータを前記楽音発生装置に供給する音色パラメータ発生手段と、
　効果制御操作子と、
　前記音色選択操作子により選択された音色毎に異なりかつ前記効果制御操作子の操作状態に応じて変化する複数の効果制御パラメータを前記楽音発生装置に供給する効果制御パラメータ発生手段と
　を備えたことを特徴とする楽音制御用パラメータ発生装置（１頁左下欄５行ないし下から２行）
　従来の装置においては、一つの操作子の操作に応じて発生される楽音制御パラメータの数及び種類は固定され、かつ該操作子の操作状態に応じて変化する楽音制御パラメータの特性も固定されているので、発生される楽音の種類例えば音色が変更されても、該楽音には常に前記操作子の操作に応じた一定の効果が付与される。その結果、発生楽音に好適な効果が付与されない場合が生じ、楽音発生装置から快い楽音が発生されないという欠点がある。
　本発明は、上記欠点を改善するためになされたもので、発生楽音の種類例えば音色が変化しても常に良好な効果を同楽音に付与することを共通の解決課題とする。（２頁右上欄１２行ないし同頁左下欄５行）
　効果制御操作子の操作に応じて楽音に付与される複数の効果の種類、該操作子の操作に対する効果の程度等、効果の態様が音色毎に変更制御されるので、発生楽音の音色に適した効果は付与される。（中略）演奏者は効果制御操作子の操作に応じて楽音に付与される複数の効果の種類又は該操作子の操作に対する効果の程度を任意に設定できるので、演奏者は発生楽音の音色に適した効果を自由に付与することができる。（３頁左下欄１０行ないし末行）」
　
　４　刊行物４の発明
　　「所定の音高に対応して繰返し変化する第１の位相データを発生する第１の位相データ発生回路と、ビブラート周波数に対応して繰返し変化する第２の位相データを発生する第２の位相データ発生回路と、前記第１の位相データと前記第２の位相データとを加算もしくは減算する演算器とを含む位相データ発生手段を各音名に対応して夫々設け、発生すべき楽音の音名に対応する前記位相データ発生手段から前記第１の位相データ発生回路または前記演算器の一方の出力をビブラート選択信号に応じて選択し、選択された位相データを用いて前記発生すべき楽音の音高を特定するようにした電子楽器（１頁左下欄６行ないし１８行）
　複数の鍵盤を具備した電子楽器では鍵盤毎に独立にビブラート制御がなされるのが普通であり、その場合、ビブラート付与された異鍵盤の同一音名音間ではビブラート制御の相違によって位相ずれが起り、上述と同様の音の打消しの問題が生じる。（２頁右下欄１２行ないし１７行）
　同一音名音間での位相合わせがなされたビブラート制御を乗算器を用いずに加減算によって行なうようにしたので回路構成を簡単化することができる。また、異なるビブラート制御が施される複数の同一音名音に関してはアタック部分においてビブラート位相合わせを行なうようにしたので、アタック部分における音の打消しを防止し、異ビブラート同一音名音のアタックが明瞭になる。（５頁左下欄１０行ないし末行）」
　
第３　本願発明と刊行物発明との対比・検討
　本願発明と刊行物１ないし４の発明とを対比・検討すると、刊行物１ないし４の発明は、本願発明における次に掲げる主要な事項を備えていないし、刊行物１ないし４には、この事項を示唆する記載もなされていない。
　
「音色情報記憶手段（ＲＡＭ２）から各チャンネルに対応する音色情報を読出し、ランダムアクセス記憶手段（ＲＡＭ６）の複数の記憶領域のうち、前記読出された音色情報に基づく所定のアドレス位置の記憶領域に記憶された累積的効果情報を読出し出力する出力手段（ＲＡＭ６を含むセレクタ１２）」によって「異なるチャンネルに同一の音色が割当てられているとき、それらのチャンネルで同一の前記累積的効果情報を用いて音楽的効果を付与することにより、それらのチャンネルで発音する楽音の効果の位相を一致させること」
　
　そして、本願発明は、上記主要な事項により、その明細書に記載された
「各音色ごとにビブラートなどの音楽的効果をより自然に付与することができ、かつ、複雑で容量の多いハードウエアを用いることのない電子楽器を提供する」という目的を達成し、
「LFOの記憶装置として従来のシフトレジスタではなくRAMを用いているので、LFOデータなどの効果情報を自由なタイミングで取り出すことが可能となり、そのため簡単な構成で音色系列対応のビブラートなどの効果を実現することができる。」という効果を奏するものである。
　
第４　異議申立での証拠
　異議申立での主な証拠は次に掲げる甲第１，２，８，９号証である。
　甲第１号証：特開昭６４−５６４８７号公報（刊行物２と同じ）
　甲第２号証：Ｒｏｌａｎｄ　ＲＳ−ＰＣＭ　ＳＯＵＮＤ　ＭＯＤＵＬＥ　Ｕ−２２０　取扱説明書
　甲第８号証：Ｕ−２２０に組み込まれたプログラムのソースリスト
　甲第９号証：Ｕ−２２０のサービスノート
　
　１　甲第１号証の発明
　　刊行物２の発明と同じ
　２　甲第２号証の発明
　　「音色に対応してビブラートを付与するもの」
　３　甲第８号証の発明
　　「音色に対応してビブラートを付与するためのプログラムに関するもの」
　４　甲第９号証の発明
　　「音色に対応してビブラートを付与するための回路図に関するもの」
　
　本願発明と甲第１，２，８，９号証の発明とを対比・検討すると、甲第１，２，８，９号証の発明は、本願発明における上記主要な事項を備えていないし、甲第１，２，８，９号証には、この事項を示唆する記載もなされていない。
　特に、甲第１，２，８，９号証には、本願発明における主要な事項である「出力手段（ＲＡＭ６を含むセレクタ１２）」を示唆する記載がなされていない。
　そして、本願発明は、「出力手段（ＲＡＭ６を含むセレクタ１２）」を採用することによって、「ハードウエアの構成が簡単で、その容量が少なく、音色系列対応のビブラートなどの効果を実現する」ものと認められる
第５　むすび
　以上、本願発明は、刊行物１ないし４の発明及び異議申立での甲第１，２，８，９号証の発明に基いて当業者が容易に発明をすることができたものとすることはできない。
　また、他に本願を拒絶すべき理由を発見しない。
　よって、結論のとおり審決する。